(57)【特許請求の範囲】
【請求項１】
複数の光ファイバ心線の端部が光端局の光ＩＤＦに接続され、前記光ファイバ心線に対して切断を含む作業を行う場合に、該光ファイバ心線を前記光ＩＤＦから切り離す光端局切り離しシステムであって、
前記光ＩＤＦに各光ファイバ心線に対して設けられ、遠隔操作によって前記光ファイバ心線を切り離しまたは接続可能な接離コネクタと、
作業対象である光ファイバ心線の識別情報や作業日時、作業位置、作業者の識別情報を含む作業情報を記憶するとともに、前記接離コネクタを遠隔操作する遠隔操作装置と、
前記作業を行う作業者が携帯し、前記遠隔操作装置から情報を受信する携帯端末と、
を備え、
前記遠隔操作装置は、作業者の識別情報や現在日時、作業対象の光ファイバ心線の識別情報、作業位置を含む作業準備完了情報を前記携帯端末から受信すると、該作業準備完了情報と前記作業情報とに基づいて、該作業が適正か否かを判断し、適正な場合には、所定の前記接離コネクタを遠隔操作して前記光ファイバ心線を切り離した後に、前記光ファイバ心線を切り離した旨の切り離し情報を前記携帯端末に送信する、
ことを特徴とする光端局切り離しシステム。
【請求項２】
前記携帯端末は、前記作業が完了した旨の情報であり、作業者の識別情報や現在日時、作業対象の光ファイバ心線の識別情報、作業位置を含む作業完了情報を前記遠隔操作装置に送信可能であり、
前記遠隔操作装置は、前記携帯端末から前記作業完了情報を受信した場合に、該作業完了情報と前記作業情報とに基づいて、該作業完了が適正か否かを判断し、適正な場合には、前記接離コネクタを遠隔操作して前記光ファイバ心線を接続する、
ことを特徴とする請求項１に記載の光端局切り離しシステム。
【請求項３】
前記携帯端末は、所定のソフトを起動して作業者の識別情報を入力することで、該作業者が行うべき作業の作業情報を前記遠隔操作装置から取得可能である、
ことを特徴とする請求項１または２のいずれか１項に記載の光端局切り離しシステム。
【発明の詳細な説明】
【技術分野】
【０００１】
この発明は、光端局において光ファイバ心線を切り離す光端局切り離しシステムに関し、特に、遠隔操作によって光ファイバ心線を切り離す光端局切り離しシステムに関する。
【背景技術】
【０００２】
例えば、光ファイバケーブル（光ファイバ心線）に障害・損傷が生じた場合、その障害を改修する支障移転作業では、障害箇所の光ファイバケーブルを切断する前に、光端局の切り離しを光ＩＤＦ（Ｉｎｔｅｒｍｅｄｉａｔｅ  Ｄｉｓｔｒｉｂｕｔｉｏｎ  Ｆｒａｍｅ、中間接続盤）で行っている。すなわち、光ファイバケーブル同士は、光端局の光ＩＤＦを介して接続されており、障害箇所で光ファイバケーブルを切断する場合、この光ファイバケーブルが接続されている両端の光端局において、光ＩＤＦによってこの光ファイバケーブルを切り離す。これにより、他の光ファイバケーブルへの影響を防止する。
【０００３】
このように光ＩＤＦで光ファイバケーブルを切り離す場合、通常時は無人である光端局に作業者が出向き、切り離す光ファイバケーブルを確認して切り離し作業を行ったり、再接続作業を行ったりする。つまり、光ファイバケーブルを切り離すには、少なくとも２人の作業者がそれぞれ光端局に赴く必要がある。
【０００４】
一方、テープ心線単位で伝送路を切替接続する手段や、１心単位で伝送路を切替接続する手段などを備えることで、心線故障時のテープ心線単位または１心単位の切替接続などを遠隔自動で行うことができる、という光線路切替接続装置が知られている（例えば、特許文献１参照。）。
【先行技術文献】
【特許文献】
【０００５】
【特許文献１】特開平０５−１０２９３５号公報
【発明の概要】
【発明が解決しようとする課題】
【０００６】
上記のように光ファイバケーブルを切り離すには、少なくとも２人の作業者が光端局に出向く必要があるため、人件費がかさむばかりでなく、作業者を確保できない場合には、支障移転作業を行うことができなくなる。また、特許文献１の技術では、心線の切替接続を遠隔自動で行えるだけであり、支障移転作業を行う場合に該当する光ファイバケーブルを切り離して、障害箇所（作業現地）で光ファイバケーブルの切断などを行えるようにするものではない。
【０００７】
そこでこの発明は、作業者が光端局に出向くことなく、該当する光ファイバ心線を切り離して、作業現地で光ファイバ心線の切断などを行えるようにする光端局切り離しシステムを提供することを目的とする。
【課題を解決するための手段】
【０００８】
上記課題を解決するために、請求項１の発明は、複数の光ファイバ心線の端部が光端局の光ＩＤＦに接続され、前記光ファイバ心線に対して切断を含む作業を行う場合に、該光ファイバ心線を前記光ＩＤＦから切り離す光端局切り離しシステムであって、前記光ＩＤＦに各光ファイバ心線に対して設けられ、遠隔操作によって前記光ファイバ心線を切り離しまたは接続可能な接離コネクタと、作業対象である光ファイバ心線の識別情報や作業日時、作業位置、作業者の識別情報を含む作業情報を記憶するとともに、前記接離コネクタを遠隔操作する遠隔操作装置と、前記作業を行う作業者が携帯し、前記遠隔操作装置から情報を受信する携帯端末と、を備え、前記遠隔操作装置は、作業者の識別情報や現在日時、作業対象の光ファイバ心線の識別情報、作業位置を含む作業準備完了情報を前記携帯端末から受信すると、該作業準備完了情報と前記作業情報とに基づいて、該作業が適正か否かを判断し、適正な場合には、所定の前記接離コネクタを遠隔操作して前記光ファイバ心線を切り離した後に、前記光ファイバ心線を切り離した旨の切り離し情報を前記携帯端末に送信する、ことを特徴とする。ここで、所定の接離コネクタには、指定・入力された接離コネクタ、作業者から要求、送信された接離コネクタ、後述する作業票に記憶された光ファイバ心線の接離コネクタなどが含まれる。
【０００９】
この発明によれば、遠隔操作装置によって所定の接離コネクタが遠隔操作されて光ファイバ心線が切り離されると、遠隔操作装置から作業者の携帯端末に切り離し情報が送信される。これを受けて、作業者が光ファイバ心線に対して切断などの作業を行う。
【００１０】
請求項２の発明は、請求項１に記載の光端局切り離しシステムにおいて、前記携帯端末は、前記作業が完了した旨の情報であり、作業者の識別情報や現在日時、作業対象の光ファイバ心線の識別情報、作業位置を含む作業完了情報を前記遠隔操作装置に送信可能であり、前記遠隔操作装置は、前記携帯端末から前記作業完了情報を受信した場合に、該作業完了情報と前記作業情報とに基づいて、該作業完了が適正か否かを判断し、適正な場合には、前記接離コネクタを遠隔操作して前記光ファイバ心線を接続する、ことを特徴とする。
【００１１】
この発明によれば、作業者が作業を完了して、携帯端末から遠隔操作装置に作業完了情報を送信すると、遠隔操作装置によって接離コネクタが遠隔操作されて、光ファイバ心線が接続される。
【００１２】
請求項３の発明は、請求項１または２に記載の光端局切り離しシステムにおいて、前記携帯端末は、所定のソフトを起動して作業者の識別情報を入力することで、該作業者が行うべき作業の作業情報を前記遠隔操作装置から取得可能である、ことを特徴する。
【発明の効果】
【００１３】
請求項１の発明によれば、遠隔操作装置から接離コネクタを遠隔操作することで、光ファイバ心線が切り離されるため、作業者が光端局に出向くことなく、光ファイバ心線を切り離すことができる。また、遠隔操作装置から作業者の携帯端末に切り離し情報が送信されるため、作業者は、光ファイバ心線が切り離されたことを知って、作業現地で光ファイバ心線の切断などの作業を行うことができる。このように、作業現場に作業者が行くだけで、光ファイバ心線に対する作業を行うことができ、その結果、人件費を削減することができるとともに、少ない作業者を確保するだけでよいため、より確実に作業を実施することができる。また、遠隔操作装置において、作業対象である光ファイバ心線の識別情報や作業日時、作業位置、作業者の識別情報を含む作業情報に基づいて、作業準備完了情報を送信した作業者による作業開始が適正か否かが判断されるため、間違った作業者からの情報に従って光ファイバ心線を切り離したり、間違った光ファイバ心線を切り離したり、間違ったタイミング・日時で切り離したりするのを防止することができる。しかも、このような判断や指令送信が、人によらずに遠隔操作装置によって自動的に行われるため、正確・適正に判断や指令送信を行うことができる。この結果、間違った光ファイバ心線を切り離したり、間違った光ファイバ心線に作業を行ったりするのをより確実に防止することが可能となる。
【００１４】
請求項２の発明によれば、携帯端末から遠隔操作装置に作業完了情報を送信することで、該当する光ファイバ心線が遠隔操作によって接続されるため、作業者が光端局に出向くことなく、光ファイバ心線を接続することができる。このため、作業が完了して、光ファイバ心線を再接続する際にも、人件費を削減することができるとともに、迅速に再接続・復旧することが可能となる。また、遠隔操作装置において、作業対象である光ファイバ心線の識別情報や作業日時、作業位置、作業者の識別情報を含む作業情報に基づいて、作業完了情報を送信した作業者による作業完了が適正か否かが判断されるため、間違った作業者からの情報に従って光ファイバ心線を接続したり、間違った光ファイバ心線を接続したり、間違ったタイミング・日時で接続したりするのを防止することができる。しかも、このような判断や指令送信が、人によらずに遠隔操作装置によって自動的に行われるため、正確・適正に判断や指令送信を行うことができる。
【００１５】
請求項３の発明によれば、携帯端末に作業者の識別情報を入力することで、該作業者が行うべき作業の作業情報を遠隔操作装置から取得できるため、作業者は光端局などに出向く必要がない。
【図面の簡単な説明】
【００１６】
【図１】この発明の実施の形態に係る光端局切り離しシステムを示す概略構成図である。
【図２】図１のシステムの接離コネクタを示す断面図であり、（ａ）は、光ファイバ心線を接続した状態を示し、（ｂ）は、光ファイバ心線を切り離した状態を示す。
【図３】図１のシステムの遠隔操作装置を示す概略構成ブロック図である。
【図４】図１のシステムの作用などを示すタイミングチャートである。
【発明を実施するための形態】
【００１７】
以下、この発明を図示の実施の形態に基づいて説明する。
【００１８】
図１は、この発明の実施の形態に係る光端局切り離しシステム１を示す概略構成図である。この光端局切り離しシステム１は、複数の光ファイバ心線Ｌの端部が、光端局Ｔに設置されている光ＩＤＦ１０１に接続され、光ファイバ心線Ｌに対して切断を含む作業を行う場合に、この光ファイバ心線Ｌを光ＩＤＦ１０１から切り離すシステムであり、主として、接離コネクタ２と、遠隔操作装置３と、携帯端末４とを備え、遠隔操作装置３と各光ＩＤＦ１０１（接離コネクタ２）、および遠隔操作装置３と各携帯端末４とは通信可能に接続されている。
【００１９】
ここで、光ファイバ心線Ｌ同士が光ＩＤＦ１０１を介して接続されて光通信路が形成され、このような光通信路が複数形成されているものとする。すなわち、隣接する光ＩＤＦ１０１間に複数の光ファイバ心線Ｌが接続され、さらに、その隣接する光ＩＤＦ１０１間に複数の光ファイバ心線Ｌが接続されていることで、複数の光通信路が形成されている。また、この実施の形態では、ある光ファイバ心線Ｌの障害箇所Ｌｘで障害・損傷が生じて、その障害を改修する支障移転作業を行う場合について、主として説明する。
【００２０】
接離コネクタ２は、光ＩＤＦ１０１内に設けられ、光ファイバ心線Ｌの端部を光ＩＤＦ１０１の中継基板（図示せず）に着脱自在に接続するコネクタであり、各光ファイバ心線Ｌに対して設けられている。すなわち、この接離コネクタ２を介して光ファイバ心線Ｌが光ＩＤＦ１０１の中継基板に接続されることで、対向する光ファイバ心線Ｌと接続されて光通信路が形成され、接離コネクタ２によって光ファイバ心線Ｌが光ＩＤＦ１０１の中継基板から切り離されることで、対向する光ファイバ心線Ｌとの光通信路が遮断されるものである。
【００２１】
具体的には、次のようにして接続したり切り離したりするようになっている。すなわち、図２に示すように、中継基板には、第１のレセプタクル（例えば光モジュール側）２１が配設され、光ファイバ心線Ｌの端部には、第２のレセプタクル（例えば線路側）２２が配設されている。第１のレセプタクル２１は、円柱状の磁芯２１１の端部に盤状の第１の接続部２１２が形成され、さらに、第１の接続部２１２の端面から突出するように接合凸部２１３が２つ形成されている。また、磁芯２１１には、コイル（図示せず）が巻かれ、このコイルに電流が流れることで、磁力が発生するようになっている。
【００２２】
一方、第２のレセプタクル２２は、円柱状の軸部２２１の端部に盤状の第２の接続部２２２が形成され、さらに、第２の接続部２２２の端面から窪むように接合凹部２２３が２つ形成されている。そして、図２（ａ）に示すように、第１の接続部２１２の端面と第２の接続部２２２の端面とが当接した状態で、接合凸部２１３が接合凹部２２３に嵌合し、横揺れしないようになっている。
【００２３】
また、第１の接続部２１２と第２の接続部２２２とを覆うように、２つのロックカバー２３が開閉自在に設けられている。このロックカバー２３は、キャップ状で内部に、接続時収容部２３１と、この接続時収容部２３１と連続・連通する切り離し時収容部２３２とが形成されている。そして、図２（ａ）に示すように、接続部２１２、２２２の端面が当接してロックカバー２３が閉じた状態では、接続時収容部２３１に接続部２１２、２２２の外周部が嵌合・収容される。また、図２（ｂ）に示すように、ロックカバー２３が反レセプタクル２１、２２側に開いて接続部２１２、２２２の端面が離れた状態では、接続時収容部２３１に第１の接続部２１２の外周部が嵌合・収容され、切り離し時収容部２３２に第２の接続部２２２の外周部が嵌合・収容されるようになっている。
【００２４】
このような接離コネクタ２は、外部から指令を受信して動作するようになっている。つまり、遠隔操作によって光ファイバ心線Ｌを切り離しまたは接続可能となっている。具体的には、光ファイバ心線Ｌを切り離す旨の切り離し指令（操作対象の接離コネクタ２または光ファイバ心線Ｌの識別情報、線路情報を含む）を、光ＩＤＦ１０１が遠隔操作装置３から受信すると、操作対象の接離コネクタ２のロックカバー２３を開くとともに、コイルには電流を流さない。これにより、図２（ｂ）に示すように、接続部２１２、２２２の端面が離れ、接続時収容部２３１に第１の接続部２１２の外周部が収容され、切り離し時収容部２３２に第２の接続部２２２の外周部が収容される。つまり、第１のレセプタクル２１と第２のレセプタクル２２とが非接触となり、光ファイバ心線Ｌが中継基板から切り離された状態となる。従って、光ファイバ心線Ｌからの光信号による大きなフレネル反射が生じて、通信不可能な状態となる。ここで、バネなどを利用して、第２のレセプタクル２２を強制的に第１のレセプタクル２１から離すようにしてもよい。また、コイルは、常時励磁であっても、操作時のみ励磁であってもよい。
【００２５】
一方、光ファイバ心線Ｌを接続する旨の接続指令（操作対象の接離コネクタ２または光ファイバ心線Ｌの識別情報、線路情報を含む）を、光ＩＤＦ１０１が遠隔操作装置３から受信すると、操作対象の接離コネクタ２のコイルに電流を流して磁力を発生させる。これにより、鉄片としての第２のレセプタクル２２が第１のレセプタクル２１側に吸引されて、図２（ａ）に示すように、接続部２１２、２２２の端面が当接し、光ファイバ心線Ｌが中継基板に接続される。さらに、操作対象の接離コネクタ２のロックカバー２３が閉じられることで、接続時収容部２３１に接続部２１２、２２２の外周部が収容され、光ファイバ心線Ｌの接続状態がロックされる。その後、コイルへの電流供給は、停止しても継続してもよい。
【００２６】
遠隔操作装置３は、光ファイバ心線Ｌを監視したり作業を統括したりする管理センタＣに配設され、所定の接離コネクタ２（光ＩＤＦ１０１）に対して、光ファイバ心線Ｌを切り離す旨の切り離し指令を送信したり、光ファイバ心線Ｌを接続する旨の接続指令を送信したりして、各接離コネクタ２を遠隔操作する装置であり、汎用コンピュータで構成されている。この遠隔操作装置３は、図３に示すように、主として、入力部３１と、表示部３２と、通信部３３と、作業票データベース３４と、ＩＤＦデータベース３５と、支援タスク３６と、これらを制御などする中央処理部３７とを備えている。
【００２７】
入力部３１は、光ＩＤＦ１０１（接離コネクタ２）に各種指令を送信入力したり、携帯端末４に各種情報を送信入力したりするためのインターフェイスであり、キーボードやマウスなどで構成されている。表示部３２は、後述する作業票データベース３４内の作業票を表示したり、携帯端末４から受信した各種情報を表示したりするためのディスプレイである。通信部３３は、光ＩＤＦ１０１（接離コネクタ２）および携帯端末４と通信するための通信手段であり、光ＩＤＦ１０１と通信するためのインターフェイスと、携帯端末４と通信するためのインターフェイスとを備えている。
【００２８】
作業票データベース３４は、作業ごとの作業票を記憶したデータベースである。ここで、作業票には、作業対象である光ファイバ心線Ｌの識別情報や敷設位置（どの光ＩＤＦ１０１と光ＩＤＦ１０１との間に敷設されているか）、作業位置（障害箇所Ｌｘ）、作業日時（開始日時、完了日時を含む）、作業者Ｍの識別情報・氏名、作業内容・作業手順を含む作業情報が記憶されている。また、このような作業票は、作業票作成用のコンピュータあるいはこの遠隔操作装置３で作成され、作業票データベース３４に記憶されるようになっている。
【００２９】
ＩＤＦデータベース３５は、各光ＩＤＦ１０１に関する情報を記憶したデータベースである。すなわち、各光ＩＤＦ１０１に接続されている光ファイバ心線Ｌの識別情報や配設位置（中継基板の番号とポート位置）、光ファイバ心線Ｌを接続している接離コネクタ２の識別情報を含む情報が記憶されている。
【００３０】
支援タスク３６は、作業支援を行うためのプログラムであり、携帯端末４から各種情報を受信することで、次のような支援、制御を行う。
【００３１】
第１に、作業準備が完了した旨の作業準備完了情報を携帯端末４から受信した場合に、この作業者Ｍによる作業が適正か否かを判断する。すなわち、この情報に含まれている作業者Ｍの識別情報、日時、作業対象の光ファイバ心線Ｌ（所定の接離コネクタ２）の識別情報、作業位置と、作業票データベース３４の該当する作業票の作業情報とを比較して、この作業者Ｍがこの光ファイバ心線Ｌに対して、この日時にこの位置（障害箇所Ｌｘ）で作業を開始する予定になっているか否かを確認する。
【００３２】
そして、作業が適正な場合には、この光ファイバ心線Ｌを接続している光ＩＤＦ１０１をＩＤＦデータベース３５から検索して、この光ＩＤＦ１０１に対して、この光ファイバ心線Ｌに対応する接離コネクタ２（所定の接離コネクタ２）への切り離し指令を送信する。このとき、光ファイバ心線Ｌは、通常、両端部が光ＩＤＦ１０１に接続されているため、２つの光ＩＤＦ１０１に切り離し指令を送信する。さらに、切り離し指令を送信した後に、携帯端末４に対して、光ファイバ心線Ｌを切り離した旨の切り離し情報を送信する。このとき、切り離し情報に、切り離した光ファイバ心線Ｌの識別情報を含めることで、切り離された光ファイバ心線Ｌが正しいか否かを作業者Ｍが確認できるようにしてもよい。一方、作業が適正でない場合には、作業不可の旨を携帯端末４に送信するものである。
【００３３】
第２に、作業が完了した旨の作業完了情報を携帯端末４から受信した場合に、この作業者Ｍによる作業完了が適正か否かを判断する。すなわち、この情報に含まれている作業者Ｍの識別情報、日時、作業対象の光ファイバ心線Ｌ（所定の接離コネクタ２）の識別情報、作業位置と、作業票データベース３４の該当する作業票の作業情報とを比較して、この作業者Ｍがこの光ファイバ心線Ｌに対して、この日時にこの位置（障害箇所Ｌｘ）で作業を完了する予定になっているか否かを確認する。
【００３４】
そして、作業完了が適正な場合には、この光ファイバ心線Ｌを接続している光ＩＤＦ１０１をＩＤＦデータベース３５から検索して、この光ＩＤＦ１０１に対して、この光ファイバ心線Ｌに対応する接離コネクタ２（所定の接離コネクタ２）への接続指令を送信する。さらに、接続指令を送信した後に、携帯端末４に対して、光ファイバ心線Ｌを接続した旨の接続情報を送信する。一方、作業完了が適正でない場合には、作業不可（接続不可）の旨を携帯端末４に送信するものである。
【００３５】
携帯端末４は、支障移転作業などを行う作業者Ｍが携帯し、遠隔操作装置３と各種情報を送受信したりする通信端末であり、この実施の形態では、スマートフォン（多機能携帯電話）で構成されているが、パーソナルコンピュータなどで構成してもよい。この携帯端末４には、光端局切り離しシステム１に係る作業支援アプリケーションソフトがインストールされ、この作業支援アプリケーションソフトによって次のような作業支援を行うようになっている。
【００３６】
第１に、作業支援アプリケーションソフトが起動されて作業者Ｍの識別情報が入力されると、この作業者Ｍが行うべき作業の作業票を遠隔操作装置３から取得し、作業票の内容をディスプレイに表示する。このとき、遠隔操作装置３は、この作業者Ｍの識別情報が作業情報に含まれている作業票を、作業票データベース３４から検索して携帯端末４に送信する。
【００３７】
第２に、作業者Ｍが作業現場である障害箇所Ｌｘに行き、作業を開始するための準備が完了した場合に、タッチパネルを操作することで、その旨を通知する作業準備完了情報を遠隔操作装置３に送信する。この作業準備完了情報には、作業者Ｍの識別情報、現在日時、作業対象の光ファイバ心線Ｌの識別情報、作業位置（例えば、ＧＰＳで取得した緯度、経度）を含む。
【００３８】
第３に、遠隔操作装置３から光ファイバ心線Ｌを切り離した旨の切り離し情報を受信した場合に、「切り離し完了」の旨をディスプレイに表示する。
【００３９】
第４に、作業者Ｍが作業を完了した場合に、タッチパネルを操作することで、作業が完了した旨を通知する作業完了情報を遠隔操作装置３に送信する。この作業完了情報には、作業者Ｍの識別情報、現在日時、作業対象の光ファイバ心線Ｌの識別情報、作業位置（例えば、ＧＰＳで取得した緯度、経度）を含む。
【００４０】
次に、このような構成の光端局切り離しシステム１の作用および、このシステム１を用いた光ファイバ心線作業方法について、図４のタイミングチャートに基づいて説明する。
【００４１】
まず、作業者Ｍが携帯端末４の作業支援アプリケーションソフトを起動して、自分の識別情報を入力すると、この作業者Ｍが行うべき作業の作業票がディスプレイに表示される。この作業票を見て、作業者Ｍが障害箇所Ｌｘに行き、作業の準備を行って作業準備完了情報を遠隔操作装置３に送信すると（ステップＳ１）、上記のようにして、遠隔操作装置３の支援タスク３６によって、この作業者Ｍによる作業が適正か否かが判断される（ステップＳ２）。
【００４２】
その結果、作業が適正でない場合には、作業不可の旨が携帯端末４に送信され（ステップＳ３）、その旨がディスプレイに表示される。一方、作業が適正な場合には、上記のように、該当する光ＩＤＦ１０１に対して作業対象の光ファイバ心線Ｌの切り離し指令が送信される（ステップＳ４）。そして、この切り離し指令を受けて、対応する接離コネクタ２によって光ファイバ心線Ｌが切り離される（ステップＳ５）。
【００４３】
さらに、遠隔操作装置３から携帯端末４に対して切り離し情報が送信され（ステップＳ６）、「切り離し完了」の旨がディスプレイに表示される。これにより、作業者Ｍは、光ファイバ心線Ｌが切り離されたことを知り、障害箇所Ｌｘでの支障移転作業を行う（ステップＳ７）。
【００４４】
その後、作業者Ｍが作業を完了して、作業完了情報を遠隔操作装置３に送信すると（ステップＳ８）、上記のようにして、遠隔操作装置３の支援タスク３６によって、作業完了の適否が判断され、作業完了が適正な場合には、上記のように、該当する光ＩＤＦ１０１に対して作業完了対象の光ファイバ心線Ｌの接続指令が送信される（ステップＳ９）。そして、この接続指令を受けて、対応する接離コネクタ２によって光ファイバ心線Ｌが接続され（ステップＳ１０）、遠隔操作装置３から携帯端末４に接続情報が送信されるものである。
【００４５】
以上のように、この光端局切り離しシステム１および光ファイバ心線作業方法によれば、遠隔操作装置３から接離コネクタ２を遠隔操作することで、光ファイバ心線Ｌが切り離されるため、作業者が光端局Ｔに出向くことなく、光ファイバ心線Ｌを切り離すことができる。また、遠隔操作装置３から作業者Ｍの携帯端末２に切り離し情報が送信され、ディスプレイに表示されるため、作業者Ｍは、光ファイバ心線Ｌが切り離されたことを知って、作業現地で光ファイバ心線Ｌの切断などの作業を行うことができる。このように、作業現場に作業者Ｍが行くだけで、光ファイバ心線Ｌに対する作業を行うことができ、その結果、人件費を削減することができるとともに、少ない作業者Ｍを確保するだけでよいため、より確実に作業を実施することができる。
【００４６】
また、作業が完了した場合に、携帯端末４から遠隔操作装置３に作業完了情報を送信することで、該当する光ファイバ心線Ｌが自動的に接続されるため、作業者が光端局Ｔに出向くことなく、光ファイバ心線Ｌを接続することができる。このため、作業が完了して、光ファイバ心線Ｌを再接続する際にも、人件費を削減することができるとともに、迅速に再接続・復旧することが可能となる。
【００４７】
さらに、作業票データベース３４に記憶されている作業票に基づいて、該当する接離コネクタ２が遠隔操作されて光ファイバ心線Ｌが切り離されたり接続されたりするため、適正な光ファイバ心線Ｌを適正なタイミングで切り離したり接続したりすることができる。すなわち、作業票に記憶されている作業者Ｍおよび光ファイバ心線Ｌの識別情報や、作業日時などに基づいて、作業準備完了情報や作業完了情報を送信した作業者Ｍによる作業開始や作業完了が、適正か否かが判断されるため、間違った作業者Ｍからの情報に従って光ファイバ心線Ｌを切り離し、接続したり、間違った光ファイバ心線Ｌを切り離し、接続したり、間違ったタイミング・日時で切り離し、接続したりするのを防止することができる。しかも、このような判断や指令送信が、人によらずに遠隔操作装置３によって自動的に行われるため、正確・適正に判断や指令送信を行うことができる。この結果、間違った光ファイバ心線Ｌを切り離したり、間違った光ファイバ心線Ｌに作業を行ったりするのをより確実に防止することが可能となる。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、単線である光ファイバ心線Ｌに対して作業、切り離し等を行う場合について説明したが、光ファイバ心線Ｌの集合体である光ファイバケーブル全体に対して作業、切り離し等を行う場合についても、適用することができる。つまり、この発明における光ファイバ心線には、光ファイバケーブルも含まれるものである。
【００４９】
また、接離コネクタ２は、上記のような構造に限らず、光ファイバ心線Ｌを接離できるものであればよい。例えば、ロックカバー２３を開くと、バネ力によって第１のレセプタクル２１と第２のレセプタクル２２とが離れ、バネ力に抗してロックカバー２３を閉じると、第１のレセプタクル２１と第２のレセプタクル２２とが接続されるようにしてもよい。さらに、切り離し指令や接続指令を光ＩＤＦ１０１に送信して（光ＩＤＦ１０１を介して間接的に接離コネクタ２に送信して）、各接離コネクタ２を操作・制御しているが、各接離コネクタ２に対して直接指令を送信するようにしてもよい。
【００５０】
一方、携帯端末４から作業準備完了情報を受信した後に光ファイバ心線Ｌを切り離したり、携帯端末４から作業完了情報を受信した後に光ファイバ心線Ｌを接続したりしているが、作業票に基づいて遠隔操作装置３から動作・アクションを開始するようにしてもよい。例えば、作業票に記憶されている作業日時になった場合に、この作業票に記憶されている作業者Ｍの携帯端末４に作業の可否を問い合わせ、作業可能な旨を携帯端末４から受信した場合に、作業票の光ファイバ心線Ｌを切り離したり（所定の接離コネクタ２を遠隔操作したり）、作業日時になった時点で光ファイバ心線Ｌを切り離して、切り離し情報を携帯端末４に送信したりしてもよい。また、作業票がない緊急作業などを行う場合に、入力部３１で指定・入力された接離コネクタ２（所定の接離コネクタ２）を遠隔操作し、切り離し情報や接続情報を携帯端末４に送信するようにしてもよい。
【符号の説明】
【００５１】
１        光端局切り離しシステム
２        接離コネクタ
３        遠隔操作装置
４        携帯端末
１０１    光ＩＤＦ
Ｌ        光ファイバ心線
Ｌｘ      障害箇所
Ｔ        光端局
Ｃ        管理センタ
Ｍ        作業者
【図１】
0005844309.tif 000002
【図２】
0005844309.tif 000003
【図３】
0005844309.tif 000004
【図４】
0005844309.tif 000005